(57)【要約】【課題】  ガラス枠等の扉を開閉する開閉装置を有する遊技機において、その開閉装置の小型化を図り、大幅な設計変更を伴わず、かつ、比較的安価に不正行為を防止する遊技機を提供する。【解決手段】  揺動軸４ｂの近傍に電動モータ２３ｃを配設するとともに、揺動軸４ｂに連結された扉側歯車２３ａを回転させることにより前枠（ガラス扉）４を略全開状態まで自動的に開く。これにより、ガラス枠の施錠が何らかの不正手段により解除された場合に、一目瞭然、誰が見てもガラス枠が開かれたことが解る程度まで、ガラス枠を開かせることが可能となる。そして、一目瞭然、誰が見ても前枠４が開かれたことが解れば、その前枠４が開かれた遊技機１に多くの視線（注意）が集まり易いので、アタッカー等の入賞装置に遊技球を入賞させ、不正に賞球を得たり、釘を不正に調整したりする等の不正行為が行われることを未然に防止することができる。【選択図】  図１２
2006247271.tif 000002
【特許請求の範囲】
【請求項１】
揺動可能に支持された扉と、
前記扉の揺動軸近傍に配設され、前記揺動軸に前記扉を揺動させる回転力を与える電動モータと、
前記扉の閉状態を保持する施錠装置と、
前記電動モータを前記施錠装置の作動に連動して制御する電動モータ制御手段と、
を備えることを特徴とする遊技機。
【請求項２】
揺動軸を介して揺動可能に支持された扉と、
前記扉の前記揺動軸に連結され、前記扉の揺動と連動して回転する歯車と、
前記揺動軸の近傍に配設され、前記歯車を回転させる電動モータと、
前記扉の閉状態を保持する施錠装置と、
前記電動モータを前記施錠装置の作動に連動して制御する電動モータ制御手段と、
を備えることを特徴とする遊技機。
【請求項３】
前記電動モータ制御手段は、前記施錠装置の作動に連動して前記扉が開閉するように前記電動モータが回転する全自動モード、前記施錠装置の作動に連動して前記扉が開くように前記電動モータが回転する半自動モード、及び前記電動モータへの通電が遮断される手動モードを切り替え制御するものであり、
前記全自動モード、前記半自動モード及び前記手動モードのいずれかを選択するための選択手段を備えることを特徴とする請求項１又は２に記載の遊技機。
【発明の詳細な説明】
【技術分野】
【０００１】
本発明は、遊技機に関するもので、パチンコ遊技機やアレンジボール遊技機等の弾球遊技機に適用して有効である。
【背景技術】
【０００２】
パチンコ遊技機やアレンジボール遊技機等の弾球遊技機は、周知のごとく、遊技盤面上の遊技領域を流下する遊技球の動きを楽しむ遊技機である。そして、遊技領域を視認するための視認窓を閉塞するガラスが固定されたガラス枠は、前面枠の前面側に揺動可能に組み付けられているとともに、多くの場合は、機械的な施錠機構により閉状態が保持されている。
【０００３】
しかし、遊技者の中には、施錠機構を解放するための鍵（合鍵）を不正な手段で入手し、その不正な手段で入手した合鍵を用いてガラス枠を僅かに開いて、アタッカー等の入賞装置に遊技球を入賞させ、不正に賞球を得たり、釘を不正に調整したりする不正行為をする者がいる。
【０００４】
このような不正行為を防止するために、例えば、特許文献１に記載の遊技場における施錠管理システムでは、前面枠及びガラス枠の解錠を鍵を用いないで電気的に行うようにすることが提案されている。
【０００５】
また、特許文献２に記載のガラス枠の開閉構造では、ガラス枠を閉位置に保持する固定手段４１と、ガラス枠を開閉駆動するための開閉駆動装置６０とを設けている。
【特許文献１】特開昭６３−１７７８８７号公報
【特許文献２】特開平９−４７５５７号公報
【発明の開示】
【発明が解決しようとする課題】
【０００６】
しかしながら、上述のような不正行為を防止するために、上記特許文献１に記載の遊技場における施錠管理システムを構築するには、多大な製造コストと時間をかけて、大幅な設計変更をする必要があり、現実的には非常に困難である。
【０００７】
さらに、特許文献２に記載の遊技機では、不正行為対策ではなく、遊技機のメンテナンス性の向上を図ることを目的として、ガラス枠を電動開閉する開閉駆動装置を設けている。すなわち、特許文献２に記載の発明は、ラックバーを往復運動させてガラス枠を揺動させることによりガラス枠を開閉するものである。
【０００８】
しかし、ラックバーは、単純に往復運動するものではなく、ガラス枠の揺動（開閉）に応じて前傾動しながら往復運動するので、特許文献２の図１９及び図２０に示されるように、ラックバーの稼働領域及びその収納領域として、比較的大きな空間を必要とする。
【０００９】
このため、特許文献２に記載の開閉駆動装置を遊技機に組み込むことは、現実には難しく、上記不正行為に対する対策として、特許文献２に記載の開閉駆動装置を用いることはできない。
【００１０】
本発明は、上記点に鑑み、ガラス枠等の扉を開閉する開閉装置を有する遊技機において、その開閉装置の小型化を図り、大幅な設計変更を伴わず、かつ、比較的安価に不正行為を防止する遊技機を提供することを目的とする。
【課題を解決するための手段】
【００１１】
本発明は、上記目的を達成するために、請求項１に記載の発明では、揺動可能に支持された扉（４）と、扉（４）の揺動軸（４ｂ）近傍に配設され、揺動軸（４ｂ）に扉（４）を揺動させる回転力を与える電動モータ（２３ｃ）と、前記扉（４）の閉状態を保持する施錠装置（１４）と、前記電動モータ（２３ｃ）を前記施錠装置（１４）の作動に連動して制御する電動モータ制御手段（２４）と、を備えることを特徴とする。
【００１２】
これにより、電動モータ制御手段（２４）は、施錠装置の作動に連動して、電動モータ（２３ｃ）を制御して、扉（４）の揺動軸（４ｂ）に扉（４）を揺動させる回転力を直接的に付与することとなるので、扉（４）は、揺動軸（４ｂ）に直接的に付与される回転力により自動的（強制的）に開閉される。
【００１３】
したがって、例えばガラス枠の施錠が何らかの不正手段により解除された場合に、一目瞭然、誰が見てもガラス枠が開かれたことが解る程度まで、ガラス枠を開かせることが可能となる。そして、一目瞭然、誰が見ても前枠４が開かれたことが解れば、その前枠４が開かれた遊技機１に多くの視線（注意）が集まり易いので、アタッカー等の入賞装置に遊技球を入賞させ、不正に賞球を得たり、釘を不正に調整したりする等の不正行為が行われることを未然に防止することができる。
【００１４】
ところで、引用文献２に記載の発明は、ガラス枠の揺動軸に回転力を直接的に付与することなく、ガラス枠を開く向きに押すような直線的な力を、ラックバーを介して揺動軸から離れた部位に作用させてガラス枠を揺動させている。このため、引用文献２に記載の発明では、ラックバーの稼働領域及びその収納領域として、比較的大きな空間を必要としていた。
【００１５】
しかし、本発明では、前述したように、揺動軸（４ｂ）に直接的に付与される回転力により自動的（強制的）に開閉されるので、本発明に係る遊技機では、比較的長尺なラックバーを必要としない。したがって、ラックバーの稼働領域及びその収納領域が不要となるとともに、電動モータ（２３ｃ）を揺動軸（４ｂ）の近傍に配設したことにより扉（４）を開閉するための開閉装置の小型化を図ることができる。
【００１６】
なお、本発明において、「電動モータ（２３ｃ）が扉（４）の揺動軸（４ｂ）に扉（４）を揺動させる回転力を直接的に付与する」とは、揺動軸（４ｂ）を電動モータ（２３ｃ）にて直接揺動させる、又は電動モータ（２３ｃ）を扉（４）に固定し、電動モータ（２３ｃ）のシャフト自体を揺動軸（４ｂ）とする場合や、後述する実施形態に示されるように扉側歯車（２３ａ）及びモータ側歯車（２３ｂ）にて電動モータ（２３ｃ）の回転速を減速（変速）して回転力を付与する場合等を例示することができる。
【００１７】
また、開閉装置にて自動的に開閉される扉としては、後述する前枠（ガラス扉）や本体枠等を例示することができる。
ところで、扉（４）を自動的に開閉させると、例えば、施錠が解除されていないのに電動モータ（２３ｃ）に通電されてしまうといった誤作動、又はホール係が作業（メンテナンス）を未だ終了していないのに扉（４）が閉じられてしまうといった誤作動が発生するおそれがある。
【００１８】
これに対して、本発明では、電動モータ（２３ｃ）の回転が施錠装置（１４）の作動に連動して制御されるので、例えば、施錠が解除されていないのに電動モータ（２３ｃ）に通電されてしまうといった誤作動、又はホール係が作業（メンテナンス）を未だ終了していないのに扉（４）が閉じられてしまうといった誤作動が発生することを、確実、かつ、未然に防止することができる。
【００１９】
請求項２に記載の発明では、揺動軸（４ｂ）を介して揺動可能に支持された扉（４）と、扉（４）の揺動軸（４ｂ）に連結され、扉（４）の揺動と連動して回転する歯車（２３ａ）と、揺動軸（４ｂ）の近傍に配設され、歯車（２３ａ）を回転させる電動モータ（２３ｃ）と、前記扉（４）の閉状態を保持する施錠装置（１４）と、前記電動モータ（２３ｃ）を前記施錠装置（１４）の作動に連動して制御する電動モータ制御手段（２４）と、を備えることを特徴とする。
【００２０】
これにより、本発明においても、請求項１に記載の発明と同様に、例えばガラス枠の施錠が何らかの不正手段により解除された場合に、一目瞭然、誰が見てもガラス枠が開かれたことが解る程度まで、ガラス枠を開かせることが可能となる。そして、一目瞭然、誰が見ても前枠４が開かれたことが解れば、その前枠４が開かれた遊技機１に多くの視線（注意）が集まり易いので、アタッカー等の入賞装置に遊技球を入賞させ、不正に賞球を得たり、釘を不正に調整したりする等の不正行為が行われることを未然に防止することができる。
【００２１】
また、本発明においても、請求項１に記載の発明と同様に、扉（４）は、揺動軸（４ｂ）に直接的に付与される回転力により自動的（強制的）に開閉されることとなるので、本発明に係る遊技機においても、請求項１に記載の発明と同様に、比較的長尺なラックバーを必要としない。
【００２２】
したがって、ラックバーの稼働領域及びその収納領域が不要となるとともに、電動モータ（２３ｃ）を揺動軸（４ｂ）の近傍に配設したことにより扉（４）を開閉するための開閉装置の小型化を図ることができるので、開閉装置を容易に遊技機に組み込むことが可能となる。
【００２３】
また、歯車（２３ａ）を介して回転力を揺動軸（４ｂ）に付与するので、電動モータ（２３ｃ）で発生する回転力を増大させて揺動軸（４ｂ）に付与することができ、電動モータ（２３ｃ）の大型化を抑制することができる。
【００２４】
また、歯車（２３ａ）にて電動モータ（２３ｃ）の回転速を変速することにより、扉（４）の開閉に要する時間（作動時間）を容易に所望の時間とすることが可能となる。
請求項３に記載の発明では、前記電動モータ制御手段（２４）は、施錠装置（１４）の作動に連動して扉（４）が開閉するように電動モータ（２３ｃ）が回転する全自動モード、施錠装置（１４）の作動に連動して扉（４）が開くように電動モータ（２３ｃ）が回転する半自動モード、及び電動モータ（２３ｃ）への通電が遮断される手動モードを切り替え制御するものであり、全自動モード、半自動モード及び手動モードのいずれかを選択するための選択手段（２４ｄ）を備えることを特徴とする。
【００２５】
これにより、パチンコホールの運用形態や遊技機の状態（例えば、故障中である等）に応じて扉（４）の開閉作動を選択することができる。
因みに、上記各手段等の括弧内の符号は、後述する実施形態に記載の具体的手段等との対応関係を示す一例であり、本発明は上記各手段等の括弧内の符号に示された具体的手段に限定されるものではない。
【発明を実施するための最良の形態】
【００２６】
以下に本発明の実施形態を図面と共に説明する。
本実施形態は、本発明に係る遊技機をパチンコ遊技機に適用したものであり、以下、本実施形態に係る遊技機１について説明する。
【００２７】
先ず、遊技機１本体の概略構造について図１〜図３に基づいて説明する。なお、図１は遊技機１の正面図であり、図２は遊技機１を正面側から見た斜視図であり、図３は遊技盤８の正面図である。
【００２８】
本実施形態に係る遊技機１は、周知のパチンコ遊技機とほぼ同様であり、具体的には、遊技機１の前面部は、図１及び図２に示すように、木製の外枠２、樹脂製の本体枠（中枠）３、樹脂製の前枠（ガラス枠又はガラス扉等とも言う。）４、樹脂製の上皿部５、樹脂製の下皿部６、及び発射ハンドル７等が設けられている。そして、本体枠３内には、遊技盤８及び払出制御部や図柄制御部等の制御機器が配設されている。なお、図１及び図２においては、遊技盤８の詳細図は省略されている。
【００２９】
ここで、本体枠３は、外枠２の左端側に設けられたヒンジ２ａ（図２参照）を介して揺動開閉可能に外枠２に組み付けられ、前枠４は、本体枠３の前面に配置された状態で本体枠３の左端側にて本体枠３に対して揺動開閉可能に支持されている。
【００３０】
そして、前枠４には、遊技者が遊技盤８の遊技領域８ｃを視認することができるように略楕円状の視認窓（開口部）４ａが設けられており、この視認窓４ａは、ガラス又はアクリル等の透明な閉塞部材により閉塞されている。このため、遊技者は、閉塞部材を通して遊技盤８の盤面上（遊技領域８ｃ上）を流下する遊技球の動きを視認することができる。
【００３１】
また、上皿部５は、本体枠３の前面であって、かつ、前枠４の下側に配置されて本体枠３の左端側にて本体枠３に揺動開閉可能に支持されており、この上皿部５には、上皿部５に溜まった遊技球を下皿部６に流下させるための排出口及びこの排出口を開閉するための玉抜きボタンや遊技球の貸出・返却ボタン等が設けられている。
【００３２】
そして、上皿部５の下方に設けられた下皿部６には、下皿部６に貯留された遊技球を遊技機１から排出するための排出口や灰皿等が設けられ、発射ハンドル７は、下皿部６の右側に配置された遊技球の発射装置ユニット（図示せず。）を操作する操作手段である。
【００３３】
また、遊技盤８には、図３に示すように、略円形状の遊技領域８ｃが形成されており、この遊技領域８ｃ内には、中央装置９、第１始動口１０、変動入賞装置１１、第２始動口１２、普通図柄作動ゲート１３、及び多数本の障害釘（図示せず。）等が設けられている。
【００３４】
中央装置９は、遊技領域８ｃの略中央部に位置し、主に演出用の図柄を表示する演出表示装置９ａを有して構成されており、この演出表示装置９ａでは、遊技状態に応じた演出用の図柄が表示される。なお、本実施形態に係る演出表示装置９ａは、液晶パネルにて構成されているが、本実施形態はこれに限定されるものではなく、例えばドットマトリックス型の表示器や７セグメント型の表示器等にて構成してもよい。
【００３５】
そして、例えば遊技球が第１始動口１０又は第２始動口１２に入球すると、演出表示装置９ａに表示される演出用の図柄、及び特別図柄表示装置９ｂに表示される特別図柄が変動表示された後に停止表示される。
【００３６】
また、遊技球が普通図柄作動ゲート１３を通過したことが検知されると、普通図柄表示装置９ｃ表示される普通図柄が変動して、所定時間経過後に特定の図柄にて図柄が停止表示されると、第１始動口１０が所定時間（例えば、０．５秒）開放される。
【００３７】
なお、第１始動口１０は、いわゆるチューリップ式で左右に一対の翼片部が開閉することにより、入賞口を開閉するものであり、変動入賞装置１１は、変動入賞装置１１の略中央に位置して帯状に開口した大入賞口１１ａ、及び大入賞口１１ａを開閉する開閉板１１ｂ等から構成されている。
【００３８】
ところで、図１及び図２に示された施錠装置１４は、外枠２と本体枠３、本体枠３と前枠４、本体枠３と上皿部５、及び本体枠３と下皿部６の閉状態を保持するためのものであり、この施錠装置１４は、公知の遊技機（例えば、特開２００４−９７６７９号公報）と同様な構造を有する機械的なものである。
【００３９】
次に、遊技機１の裏面構造について説明する。
図４は、本実施形態の遊技機１の裏面構造を示した説明図である。本実施形態では、遊技機１の裏面構造は、大きな裏機構盤１０２の上に各種装置が搭載された構造となっており、裏機構盤１０２は、一対のヒンジ１０３によって中枠３に開閉可能に軸支されている。図４では、一対のヒンジ１０３は、中枠３右側の上端付近および下端付近に示されている。
【００４０】
裏機構盤１０２には、遊技球が蓄えられる賞球タンク１０５、賞球の払出を行う賞球払出装置１０９、演出表示装置９ａが格納された蓋付きの裏ケース、後述する主制御基板２００が格納された主制御基板ケース１１２、発射装置ユニットを制御する発射制御基板２６０（図５参照）が格納された発射装置制御基板ケース１３０、賞球払出装置１０９を制御する払出制御基板２４０が格納された払出制御基板ケース１１８、及び主制御基板２００と各種スイッチ類とを中継する中継端子板等が搭載されている。
【００４１】
賞球タンク１０５には底部にタンクスイッチが設けられており、球切れを検出することができる。賞球タンク１０５と賞球払出装置１０９とは、タンクレール１０６によって接続されており、図上でタンクレール１０６の右側には球抜きレバーが設けられている。
【００４２】
また、タンクレール１０６の下流側には図示しない補給球切れ検知スイッチが設けられており、さらに、賞球払出装置１０９の下流側には、遊技球の振り分け部が設けられている。なお、図４では、図示が煩雑となることを避けるために、振り分け部の表示は省略されている。
【００４３】
また、主制御基板ケース１１２、中継端子板１９０や、払出制御基板ケース１１８等の各種基板類は、裏機構盤１０２に回動自在に懸架された図示しない金属板に、着脱自在に装着されている。
【００４４】
裏機構盤１０２の右上端部には、ヒューズボックス、電源スイッチ、電源ターミナル基板、並びに大当り、発射装置制御、球切れ、扉開放、賞球及び球貸し用等の遊技機枠用外部接続端子を備えた中継端子板が設けられている。なお、電源ターミナル基板１３２には、ラムクリア信号を発生させるためのラムクリアスイッチ（図示を省略）を接続してもよい。
【００４５】
また、中継端子板１２２の上側には、外部からの電力の供給を受けるための電源ケーブルも配設されている。さらに、払出制御基板ケース１１８からは接続ケーブルが上方へ延出し、電源ケーブルを備えた球貸装置に接続されている。
【００４６】
また、裏機構盤１０２の略中央下端部には、下皿部用球通路部材１２６が設けられている。また、裏機構盤１０２の右下端部には、電子制御装置２４が設けられている。電子制御装置２４には、後述する各種スイッチ（図１１参照）と駆動回路２４ｃを介して電動モータ２３ｃ（図９、図１０参照）とが接続されている。
【００４７】
次に、本実施形態の遊技機１の制御回路の構成について説明する。
図５は、本実施形態の遊技機１における制御回路の構成を示したブロック図である。図示されているように遊技機１の制御回路は、多くの制御基板や、各種基板、中継端子板等から構成されている。具体的には、遊技の基本的な進行や賞球に関わる当否についての制御を司る主制御基板２００、図柄やランプや効果音を用いた遊技の演出の制御を司るサブ制御基板２２０、貸球や賞球を払い出す動作の制御を司る払出制御基板２４０、及び遊技球の発射に関する制御を司る発射制御基板２６０等から構成されている。
【００４８】
そして、これら制御基板は、各種論理演算および算出演算を実行するＣＰＵ、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、及び定期的に割り込み信号を発生させるＣＴＣ（カウンター・タイマ・サーキット）等、種々の周辺ＬＳＩがバスで相互に接続されて構成されている。なお、図５中に示した矢印の向きは、データあるいは信号を入出力する方向を表している。
【００４９】
因みに、図５では、主制御基板２００に搭載されたＣＰＵ２０１、ＲＡＭ２０２のみ図示されており、主制御基板２００に搭載されているＲＯＭやＰＩＯ、さらには、他の制御基板に搭載されているＣＰＵや、ＲＡＭ、ＲＯＭ等については図示を省略している。
【００５０】
主制御基板２００は、図５に示すように、始動口スイッチＳ１や、大入賞口スイッチＳ２、ゲートスイッチＳ３等から遊技球の検出信号を受け取って、遊技の基本的な進行や賞球に関わる当否を決定した後、サブ制御基板２２０や、払出制御基板２４０、発射制御基板２６０等に向かって、後述する各種のコマンドを出力する。
【００５１】
なお、始動口スイッチＳ１は、遊技球が第１始動口１０又は第２始動口１２に入球したことを検知する検知手段であり、大入賞口スイッチＳ２は大入賞口１１ａに入球したことを検知する検知手段であり、ゲートスイッチＳ３は遊技球が普通図柄作動ゲート１３を通過したか否かを検知する検知手段である。
【００５２】
また、主制御基板２００には、発射装置ユニットから発射された遊技球を検出するカウントスイッチＳ４が接続されている。さらに、主制御基板２００は、第１始動口１０に設けられた一対の翼片部を開閉させるための普通電動役物ソレノイド１０ａや、大入賞口１１ａを開閉させるための大入賞口ソレノイド１１ｃ、普通図柄や特別図柄の変動停止表示を行う図柄表示装置２１０等に向かって信号を出力することにより、これらの動作を直接制御している。
【００５３】
サブ制御基板２２０は、図６に示すように、主制御基板２００からの各種コマンドを受け取ると、コマンドの内容を解析して、その結果に応じた遊技の演出を行う。すなわち、前述した演出表示装置９ａを駆動する演出表示基板や、各種のスピーカ５ｙ、６ｃを駆動するアンプ基板、装飾用の各種ＬＥＤやランプを駆動する装飾駆動基板に駆動信号を出力することにより、遊技の演出を行う。
【００５４】
払出制御基板２４０は、いわゆる貸球や賞球の払い出しに関する各種の制御を司っている。すなわち、図５に示すように、遊技者が前述した上皿部５に設けられた球貸スイッチ５ｂや返却スイッチ５ｃを操作すると、この信号は、球貸表示基板２４２から中継端子板を介して、球貸装置２４３に伝達される。
【００５５】
一方、球貸装置２４３は、払出制御基板２４０とデータをやり取りしながら、貸球の払出を行う。また、主制御基板２００が賞球の払出コマンドを出力すると、このコマンドを払出制御基板２４０が受け取って、払出モータ１０９ｍに駆動信号を出力することによって賞球の払い出しが行われる。払い出された賞球は、２つの払出スイッチ（前側払出スイッチ１０９ａ、後側払出スイッチ１０９ｂ）によって検出されて、払出制御基板２４０に入力される。
【００５６】
さらに、賞球タンク１０５に設けられたタンクスイッチ１０４からの信号や、賞球タンク１０５に供給する遊技球が蓄えられる外部タンク（図示せず。）に設けられた外部タンクスイッチ１２４からの信号も、払出制御基板２４０に入力されている。このため、払出制御基板２４０は、球切れのため賞球の払い出しができなくなる前に、エラーＬＥＤ４ｇ、４ｈによって異常を報知することが可能となっている。
【００５７】
また、下皿部６に設けられた下皿満タンスイッチ６ｓからの信号も払出制御基板２４０に入力されている。このため、下皿部６が遊技球で一杯となった場合にも、下皿満タンスイッチＳ５で検出された信号を受けて、払出制御基板２４０が賞球の払い出しを一時的に停止することが可能となっている。
【００５８】
さらに、前枠４が開放状態となっていることを検出する後述する扉スイッチ２４ｂ前面枠スイッチ４ｓからの信号も、電子制御装置２４を介して払出制御基板２４０に入力されている。このため、何らかの理由で前枠４が明けられた場合には、賞球の払い出し、又は遊技球の球貸し等の動作を中止することが可能となっている。
【００５９】
また、払出制御基板２４０は、主制御基板２００からの制御の下で、遊技球の発射を許可する信号（発射許可信号）を発射制御基板２６０に向かって出力しており、発射制御基板２６０は、この発射許可信号を受けて、遊技球を発射するための各種制御を行っている。
【００６０】
次に、サブ制御基板２２０に対する信号あるいはコマンドの入出力関係について説明する。
図６は、サブ制御基板２２０についての入出力関係を示したブロック図である。
【００６１】
サブ制御基板２２０には、図６に示すように、演出表示基板２２３と、アンプ基板２２４、装飾駆動基板２２６、演出ボタン基板２２８等の各種基板が接続されている。
そして、サブ制御基板２２０は、前述したように主制御基板２００から各種の演出用のコマンドを受け取ると、コマンドの内容を解釈して、演出表示装置９ａでの具体的な表示内容や、各種スピーカ５ｙ、６ｃで出力する効果音、及び各種ＬＥＤやランプ類４ｂ〜４ｆの点灯・点滅等の具体的な態様を決定する。
【００６２】
つまり、例えばサブ制御基板２２０にて演出表示装置９ａで表示する具体的な内容が決定した場合には、サブ制御基板２２０は、演出表示装置９ａの駆動信号を演出表示基板２２３に出力することにより、演出用図柄の変動停止表示を行う。
【００６３】
このとき、表示されるキャラクタ図柄や背景図柄等の一部データについては、演出表示装置９ａ又は演出表示基板２２３に内蔵された演出表示ＲＯＭ２２３ａに格納されているデータを使用する。
【００６４】
これと同時に、サブ制御基板２２０は、演出用図柄の変動停止表示に合わせて、音声信号をアンプ基板２２４に出力することによって、各種スピーカ５ｙ、６ｃから効果音を出力させるとともに、装飾駆動基板２２６に信号を供給し、装飾駆動基板２２６から各種ＬＥＤやランプ類４ｂ〜４ｆの駆動信号を出力させることによって、各種ＬＥＤやランプ類の点灯・点滅動作を制御する。
【００６５】
さらに、上皿部５の前面側に設けられた操作スイッチＳＷ１、ＳＷ２を、遊技者が操作すると、この操作信号がサブ制御基板２２０に供給される。サブ制御基板２２０は、供給された操作信号に基づいて、演出表示装置９ａを初めとする各種の演出内容に操作結果を反映させることが可能に構成されている。
【００６６】
図７は、発射制御基板２６０についての入出力関係を示したブロック図である。
発射制御基板２６０は、前述したように、払出制御基板２４０に接続されており（図４参照）、払出制御基板２４０からのコマンドを受けて、遊技球を発射するための各種動作を行う。具体的には、発射制御基板２６０は、払出制御基板２４０からのコマンドを受けると、遊技球を発射するための発射モータ２６２ａを駆動するとともに、遊技球を１球ずつ発射位置に供給するための球送りソレノイド２６２ｂを駆動する動作を制御する。
【００６７】
このうち、遊技球の発射に関わる信号は、発射駆動基板２６２を経由して入出力される。すなわち、発射制御基板２６０と発射モータ２６２ａとの間で行われる信号のやり取りは、発射駆動基板２６２を介して行われる。また、遊技者が発射ハンドル７（図１参照）に触れていることを検出するタッチスイッチ７ａや、遊技球の発射を一時的に停止するときに操作する発射停止スイッチ７ｂからの信号は、発射駆動基板２６２を介して発射制御基板２６０に供給される。一方、球送りソレノイド２６２ｂに対する駆動信号は、発射制御基板２６０から球送りソレノイド２６２ｂに直接供給される。
【００６８】
以下、施錠装置１４の構造について図８を用いて説明する。なお、図８は施錠装置１４の構造を示す構造図である。
施錠装置１４は、図８に示すように、断面がＪ字状又はＬ字状に成形された基枠をなすべースプレート１５、このべースプレート１５に組み付けられた、外枠施錠部材１６、前枠施錠部材１７、皿部施錠部材１８及びシリンダ錠１９等から構成されたものである。なお、外枠施錠部材１６、前枠施錠部材１７及び皿部施錠部材１８は、ＳＰＣＣ等の鋼板にプレス加工を施すことにより製造されている。
【００６９】
また、外枠施錠部材１６は、べースプレート１５の長手方向に沿って変位することができるように組み付けられており、この外枠施錠部材１６の長手方向両端側、つまり外枠２の右端側上下端に相当する部位には、外枠２に固定された係合片２ｂに係合する鉤状の鉤部１６ａが形成されている。そして、外枠施錠部材１６を変位させることにより、鉤部１６ａと係合片２ｂとを係合又は係合解除して本体枠３の閉状態保持又は解除を行う。
【００７０】
なお、本実施形態に係る外枠施錠部材１６は、特開２００４−９７６７９号公報に記載のべースプレート（基枠）１５と同様に２本の連結部材をべースプレート１５の長手方向略中央部で連結して構成されている。
【００７１】
また、前枠施錠部材１７も外枠施錠部材１６と同様に、べースプレート１５の長手方向に沿って変位することができるように組み付けられており、この前枠施錠部材１７の長手方向両端側、つまり前枠４の右端側上下端に相当する部位には、前枠４に設けられた係合片（図示せず。）に係合する鉤状の鉤部１７ａが形成されている。そして、前枠施錠部材１７を変位させることにより、鉤部１７ａと係合片とを係合又は係合解除して前枠４の閉状態保持又は解除を行う。
【００７２】
また、皿部施錠部材１８も外枠施錠部材１６と同様に、べースプレート１５の長手方向に沿って変位することができるように組み付けられており、この皿部施錠部材１８の上端側には、上皿部５に設けられた係合片（図示せず。）に係合する鉤状の鉤部１８ａが形成され、一方、下端側には、下皿部６に設けられた係合片（図示せず。）に係合する鉤状の鉤部１８ｂが形成されている。そして、皿部施錠部材１８を変位させることにより、鉤部１８ａ、１８ｂと係合片とを係合又は係合解除して上皿部５及び下皿部６の閉状態保持又は解除を行う。
【００７３】
また、シリンダ錠１９は、挿入された鍵と共に回転するシリンダ１９ａを有する、いわゆるキーシリンダであり、シリンダ１９ａのべースプレート１５側端部には、シリンダ１９ａに挿入された鍵の回転に連動して外枠施錠部材１６及び前枠施錠部材１７を変位させる略Ｖ字状のカム１９ｂが組み付けられている。
【００７４】
そして、シリンダ１９ａに鍵を挿入した状態で、鍵を特定の向き（例えば、右回りの向き）に回転させると外枠施錠部材１６のみが変位し、鍵を特定の向きと逆向き（例えば、左回りの向き）に回転させると前枠施錠部材１７のみが変位する。
【００７５】
また、本実施形態では、外枠施錠部材１６が下方側（図８状態）に位置するときには、鉤部１６ａと係合片２ｂとが係合した状態となり、かつ、バネ２０ａ、２０ｂは、この係合状態を保持する向き（本実施形態では、下向き）の弾性力を外枠施錠部材１６に作用させる。
【００７６】
そして、シリンダ１９ａに鍵を挿入した状態で鍵を右回りに回すと、外枠施錠部材１６は上方側に変位して、鉤部１６ａと係合片２ｂとの係合状態が解除され、鍵を回す力を緩めると、バネ２０ａ、２０ｂの弾性力により外枠施錠部材１６は下方側に戻る。
【００７７】
また、前枠施錠部材１７が上方側に位置するときには、鉤部１７ａと前枠４の係合片とが係合した状態となり、かつ、バネ２０ｃは、この係合状態を保持する向き（本実施形態では、上向き）の弾性力を前枠施錠部材１７に作用させる。
【００７８】
そして、シリンダ１９ａに鍵を挿入した状態で鍵を左回りに回すと、前枠施錠部材１７は下方側に変位して、鉤部１７ａと前枠４の係合片との係合状態が解除されるともに、その状態が保持され、鍵を回す力を緩めても、前枠施錠部材１７は元の位置（上方側）に戻らなくなる。なお、この保持された解除状態は、レバー２１を押し下げるように回転させることにより解除される。
【００７９】
因みに、通常、レバー２１の先端は、前枠４の裏面側に接触するように構成されているため、前枠４を閉じるように本体枠３に押し付けることにより、解除状態が解除されて前枠施錠部材１７がバネ２０ｃの弾性力により上方側に変位し、鉤部１７ａと前枠４の係合片とが係合してその状態を保持される。
【００８０】
また、皿部施錠部材１８の鉤部１８ａ、１８ｂは、バネ２０ａの弾性力により上皿部５及び下皿部６の係合片との係合状態が保持されており、本体枠３を開いた状態で、バネ２０ａの弾性力と対向する向き（本実施形態では、下方側）にレバー２２をスライドさせることにより係合状態が解除される。
【００８１】
また、図９及び図１０に示すように、前枠４の左端側、つまり視認窓４ａを挟んで施錠装置１４と反対側の上端側には、前枠４を自動的に開閉するための開閉装置２３が配設されており、本実施形態に係る開閉装置２３は、シリンダ１９ａに挿入された鍵の回転方向を検知してガラス扉である前枠４を自動的に開閉する。
【００８２】
因みに、図９は遊技機１の上面図（開閉装置２３部分のみ透視図）であり、図１０は開閉装置２３部分を透視した拡大図である。
そして、開閉装置２３は、図９に示すように、前枠（ガラス扉）４を揺動可能に支持する揺動軸４ｂに連結された扉側歯車２３ａ、この扉側歯車２３ａに噛み合うモータ側歯車２３ｂ、及び揺動軸４ｂの近傍にて本体枠３に固定されてモータ側歯車２３ｂを回転駆動する電動モータ２３ｃ等を有して構成されている。
【００８３】
なお、扉側歯車２３ａは、スプライン等の機械的な締結方法にて揺動軸４ｂに一体化され、モータ側歯車２３ｂも扉側歯車２３ａと同様に、スプライン等の機械的な締結方法にて電動モータ２３ｃのシャフト（回転軸）に一体化されている。
【００８４】
また、図１１は電動モータ２３ｃの作動を制御する装置の概略を示すブロック図である。電動モータ２３ｃの回転及び停止を制御する電子制御装置２４には、シリンダ１９ａに挿入された鍵の回転方向を検知する鍵スイッチ２４ａの検知信号、及び前枠（ガラス扉）４が閉じているか否かを検知する扉スイッチ２４ｂ検知信号が入力されており、電子制御装置２４は、これらの検知信号に基づいて予め設定されたプログラムに従って電動モータ２３ｃに駆動電流を供給する駆動回路２４ｃを制御することにより、電動モータ２３ｃの回転及び停止を制御する。
【００８５】
また、電子制御装置２４は、電動モータ２３ｃに駆動電流を供給する駆動回路２４ｃを制御することにより、ガラス枠の施錠が解除された場合に、ガラス枠を強制的に比較的大きく（例えば、全開状態）開くこともできる。すなわち、不正行為を行う者は、「（パチンコホールの店員等に見つからないように）ガラス枠を僅かに開いて不正行為を行う」ことから、ガラス枠の施錠が解除された場合に、一目瞭然、誰が見てもガラス枠が開かれたことが解るようにすれば、そのガラス枠が開かれた遊技機に多くの視線（注意）が集まり易いので、前述したような不正行為が行われ難くなる。ここで、「全開状態」とは、誰が見てもガラス枠が開かれたことがわかるほど開かれた状態であり、具体的には、ガラス枠が４０°以上開かれた状態をいう。なお、電子制御装置２４が、本発明の電動モータ制御手段の一具体例を構成している。
【００８６】
因みに、本実施形態では、鍵スイッチ２４ａとして、シリンダ１９ａに内蔵されて鍵の回転方向を検知するロータリスイッチを採用し、扉スイッチ２４ｂとして前枠４の開閉に機械的に連動して作動するリミットスイッチを採用しているが、鍵スイッチ２４ａ及び扉スイッチ２４ｂはこのようなスイッチ手段に限定されるものではない。
【００８７】
また、セレクトスイッチ２４ｄは、後述する全自動モード、前記半自動モード及び前記手動モードのいずれかを選択するための選択手段をなすもので、このセレクトスイッチ２４ｄは、遊技盤８の裏面側に位置して本体枠３に固定されている。なお、セレクトスイッチ２４ｄが、本発明における選択手段の一具体例を構成している。
【００８８】
次に、本実施形態の特徴である開閉装置２３の作動について、図１２に示すチャートに基づいて説明する。
１．全自動モード
この全自動モードは、鍵の回転方向、つまり鍵スイッチ２４ａの信号に基づいて前枠４を自動的に開閉作動させるモードである。
【００８９】
すなわち、前述したように、シリンダ１９ａに鍵を挿入した状態で鍵を左回りに回すと、鍵スイッチ２４から鍵が左向きに回されたことを示す信号が電子制御装置２４に入力されとともに、前枠施錠部材１７は下方側に変位して鉤部１７ａと前枠４の係合片との係合状態が解除される。また、鉤部１７ａと前枠４の係合片との係合状態が解除されて前枠４が僅かに開くと、扉スイッチ２４ｂから前枠４が開かれたことを示す信号が電子制御装置２４に入力される。
【００９０】
一方、電子制御装置２４は、図１２（ａ）に示すように、鍵スイッチ２４から鍵が左向きに回されたことを示す信号及び扉スイッチ２４ｂから前枠４が開かれたことを示す信号が入力されると、前枠４を開く向きに揺動させる駆動電流を電動モータ２３ｃに所定時間（本実施形態では、１０秒）だけ通電する。これにより、前枠４は自動的（強制的）に略全開状態まで開かれる。
【００９１】
また、前枠４が開いた状態、つまり扉スイッチ２４ｂから前枠４が開かれたことを示す信号が入力された状態で、シリンダ１９ａに鍵を挿入された鍵が右回りに回されて鍵スイッチ２４から鍵が右向きに回されたことを示す信号が電子制御装置２４に入力されると、電子制御装置２４は、図１２（ｂ）に示すように、前枠４を閉じる向きに揺動させる駆動電流を電動モータ２３ｃに所定時間（本実施形態では、１５秒）だけ通電する。これにより、前枠４は自動的（強制的）に略全閉状態まで閉じられる。
【００９２】
なお、前述したように、前枠４が本体枠３に押し付けられると、鉤部１７ａと前枠４の係合片との係合が解除された状態が解除されて前枠施錠部材１７がバネ２０ｃの弾性力により上方側に変位し、鉤部１７ａと前枠４の係合片とが係合してその状態が自動的（強制的）に保持される。
【００９３】
因みに、前記の所定時間は、前枠４を略全開状態まで開くのに必要な時間、又は略全開状態の前枠４を閉じるのに必要な時間に基づいて予め設定された時間である。したがって、扉側歯車２３ａ及びモータ側歯車２３ｂによる減速比（変速比）や電動モータ２３ｃの発生トルク等によって異なる値である。
【００９４】
また、本実施形態では、前枠４を閉じる際の通電時間を、前枠４を開く際の通電時間より長くすることにより、前枠４を確実に閉じるようにしている。
２．半自動モード
この半自動モードは、上記した全自動モードのうち前枠４の開作動のみ自動化し、閉作動については、従来と同様に、手動操作にて行うものである。
【００９５】
すなわち、図１２（ａ）に示すように、鍵スイッチ２４から鍵が左向きに回されたことを示す信号及び扉スイッチ２４ｂから前枠４が開かれたことを示す信号が、電子制御装置２４に入力されると、電子制御装置２４は、前枠４を開く向きに揺動させる駆動電流を電動モータ２３ｃに所定時間（本実施形態では、１０秒）だけ通電する。これにより、前枠４は自動的（強制的）に略全開状態まで開かれる。
３．手動モード
この手動モードは、上記した自動モード及び半自動モードのいずれも実行されず、従来通り、手動操作にて前枠４の開閉を行うものである。
【００９６】
次に、本実施形態に係る遊技機１の特徴を説明する。
引用文献２に記載の発明は、ガラス枠の揺動軸に回転力を直接的に付与することなく、ガラス枠を開く向きに押すような直線的な力を、ラックバーを介して揺動軸から離れた部位に作用させてガラス枠を揺動させている。このため、引用文献２に記載の発明では、ラックバーの稼働領域及びその収納領域として、比較的大きな空間を必要とする。
【００９７】
一方、本実施形態では、揺動軸４ｂに連結された扉側歯車２３ａを回転させることにより前枠（ガラス扉）４を自動的に揺動開閉するので、電動モータ２３ｃ、つまり開閉装置２３は、前枠４の揺動軸４ｂに前枠４を揺動開閉させる回転力を直接的に付与することとなる。
【００９８】
したがって、本実施形態に係る遊技機１では、比較的長尺なラックバーを必要としないので、ラックバーの稼働領域及びその収納領域が不要となるとともに、電動モータ２３ｃを揺動軸４ｂの近傍に配設したことにより開閉装置２３の小型化を図ることができる。
【００９９】
延いては、開閉装置２３を容易に遊技機１に組み込むことが可能となるので、前枠（ガラス扉）４の施錠が何らかの手段により解除された場合に、一目瞭然、誰が見ても前枠４が開かれたことが解るようにすることが可能となる。
【０１００】
そして、一目瞭然、誰が見ても前枠４が開かれたことが解れば、その前枠４が開かれた遊技機１に多くの視線（注意）が集まり易いので、アタッカー等の入賞装置に遊技球を入賞させ、不正に賞球を得たり、釘を不正に調整したりする等の不正行為が行われることを未然に防止することができる。
【０１０１】
また、本実施形態では、施錠装置１４の作動、つまりシリンダ１９ａに挿入された鍵の回転方向を検知して前枠４を自動的に開く場合と閉じる場合とを自動判別しているので、簡便な方法にて確実に前枠４を自動的に開く場合と閉じる場合とを自動判別することができる。延いては、前枠４を開こうとしたときに自動的に前枠４が閉じられてしまう等の開閉装置２３の誤作動を確実、かつ、未然に防止できる。
【０１０２】
また、本実施形態では、鍵スイッチ２４ａから信号と扉スイッチ２４ｂから信号とのＡＮＤ条件が成立した場合に、電動モータ２３ｃに通電して前枠４を揺動させるので、例えば、施錠が解除されていないのに電動モータ２３ｃに通電されてしまうといった誤作動、又はホール係が作業（メンテナンス）を未だ終了していないのに前枠４が閉じられてしまうといった誤作動等を確実に防止できる。延いては、電動モータ２３ｃの焼き付き等のモータの損傷やホール係が前枠４と本体枠３とに挟まれてしまうといった問題が発生することを未然に防止することができる。
【０１０３】
また、全自動モード、半自動モード及び手動モードのいずれか選択することができるので、パチンコホールの運用形態や遊技機１の状態（例えば、故障中である等）に応じて前枠４の開閉作動を選択することができる。
【０１０４】
ところで、前枠４の揺動軸４ｂの下端側には、賞球として遊技球を払い出すための機構や遊技の演出効果を高めるためのスイッチ等のその他機器が配設されていることが多いので、開閉装置２３を下端側の揺動軸４ｂ近傍に配設すると、十分な設置スペースを確保することが難しい場合がある。
【０１０５】
しかし、本実施形態では、揺動軸４ｂの上端側に開閉装置２３を配設しているので、その他機器と開閉装置２３との干渉が発生し難いので、開閉装置２３を設置するためのスペースを容易に確保することが可能となる。
【０１０６】
（その他の実施形態）
上述の実施形態では、前枠４を閉じる際の通電時間を、前枠４を開く際の通電時間より長くしたが、本発明はこれに限定されるものではなく、例えば前枠４を閉じる際の通電時間と前枠４を開く際の通電時間とを同じとしてもよい。
【０１０７】
また、上述の実施形態では、電動モータ２３ｃへの通電を開始した後、所定時間が経過した時に通電を遮断したが、本発明はこれに限定されるものではなく、例えばポテンショメータやエンコーダ等の回転角検知手段にて電動モータ２３ｃの回転角もしくは前枠４の揺動角を検知し、その検知した角度が所定値となったときに電動モータ２３ｃへの通電を遮断する、又は電動モータ２３ｃへの通電電流値を検知する電流検知手段を設け、その検知した電流値が所定値を超えたときに電動モータ２３ｃへの通電を遮断してもよい。
【０１０８】
また、上述の実施形態では、電動モータ２３ｃは本体枠３に固定されていたが、本発明はこれに限定されるものではなく、例えば電動モータ２３ｃを前枠４に固定してもよい。
また、上述の実施形態では、扉側歯車２３ａ及びモータ側歯車２３ｂにて電動モータ２３ｃの回転速を減速（変速）していたが、本発明はこれに限定されるものではなく、歯車を廃止して、揺動軸４ｂを電動モータ２３ｃにて直接揺動させる、又は電動モータ２３ｃを前枠４に固定し、電動モータ２３ｃのシャフト自体を揺動軸４ｂとしてもよい。
【０１０９】
また、上述の実施形態では、電動モータ２３ｃへの通電を施錠装置１４の作動に連動させて制御したが、本発明はこれに限定されるものではなく、例えば前枠４を自動開閉させる専用の開閉スイッチを設けてもよい。
【０１１０】
また、上述の実施形態では、全自動モード、半自動モード及び手動モードのいずれかを選択するためセレクトスイッチ２４ｄを設けていたが、本発明はこれに限定されるものではなく、例えば全自動モードのみとしてセレクトスイッチ２４ｄを廃止してもよい。
【０１１１】
また、上述の実施形態では、前枠４の開閉に開閉装置２３を用いたが、本発明はこれに限定されるものではなく、例えば本体枠３の開閉に開閉装置２３を用いてもよい。
また、上述の実施形態では、鍵スイッチ２４ａは左に鍵を回した場合の信号と右に鍵を回した信号とをそれぞれ出力していたが、本発明はこれに限定されるものではなく、例えば、左に鍵を回した場合のみ信号を発し、この信号が停止したときであって、扉スイッチ２４ｂにより扉が開いていることが検知されているときには、鍵が右に回されたものと見なしてもよい。
【０１１２】
また、上述の実施形態では開閉装置２３が前枠４の上端側に配設されていたが、本発明はこれに限定されるものではなく、例えば下端側に開閉装置２３を配設してもよい。
また、上述の実施形態では、鍵スイッチ２４ａから信号と扉スイッチ２４ｂから信号とのＡＮＤ条件が成立するとほぼ同時に電動モータ２３ｃへの通電を開始したが、本発明はこれに限定されるものではなく、例えば、ＡＮＤ条件が成立後、所定時間が経過したときに電動モータ２３ｃへの通電を開始してもよい。
【０１１３】
また、上述の実施形態では、電動モータ２３ｃはプログラム（ソフトウェア）に従って制御されていたが、本発明はこれに限定されるものではなく、上述の実施形態と同様な作動を行うハードウェアにて電動モータ２３ｃを制御してもよい。
【０１１４】
また、上述の実施形態では、施錠装置１４として、機械的な施錠装置を用いたが、本発明はこれに限定されるものではなく、電気的な施錠装置を用いてもよい。
また、上述の実施形態では、電子制御装置２４を裏機構盤に新たに設けたが、図５に示す払出制御基板２４０が、電子制御装置２４の機能を有するように構成してもよい。すなわち、ガラス枠スイッチ４ｓ、セレクトスイッチ２４ｄ、及び鍵スイッチ２４ａからの信号が、中継端子板を介して、払出制御基板２４０に入力されるように構成し、払出制御基板２４０から電動モータ２３ｃを制御するように構成してもよい。
【０１１５】
また、本発明は、特許請求の範囲に記載された発明の趣旨に合致するものであればよく、上述の実施形態に限定されるものではない。
【図面の簡単な説明】
【０１１６】
【図１】本発明の実施形態に係る遊技機の正面図である。
【図２】本発明の実施形態に係る遊技機の斜視図である。
【図３】本発明の実施形態に係る遊技機の遊技盤を示す正面図である。
【図４】本発明の実施形態に係る遊技機の裏面構造を示した説明図である。
【図５】本発明の実施形態に係る制御回路の構成を示したブロック図である
【図６】サブ制御基板についての入出力を示したブロック図である。
【図７】発射制御基板についての入出力関係を示したブロック図である。
【図８】本発明の実施形態に係る施錠機構の全体を示す二面図である。
【図９】本発明の実施形態に係る遊技機の上面図（開閉装置２３部分のみ透視図）である。
【図１０】本発明の実施形態に係る開閉装置部分を透視した拡大図である。
【図１１】本発明の実施形態に係る開閉装置を制御する装置の概略を示すブロック図である。
【図１２】本発明の実施形態に係る開閉装置の作動を示すチャートである。
【符号の説明】
【０１１７】
１…遊技機、２…外枠、２ａ…ヒンジ、２ｂ…係合片、３…本体枠、４…前枠、
４ａ…視認窓、４ｂ…揺動軸、５…上皿部、６…下皿部、７…発射ハンドル、
８…遊技盤、８ａ…遊技領域、９…中央装置、９ａ…演出表示装置、
１０…第１始動口、１１…変動入賞装置、１１ａ…大入賞口、１２…第２始動口、
１３…普通図柄作動ゲート、１４…施錠装置、１５…ベースプレート、
１６…外枠施錠部材、１６ａ…鉤部、１７…前枠施錠部材、１７ａ…鉤部、
１８…皿部施錠部材、１８ａ…鉤部、１８ｂ…鉤部、１９…シリンダ錠、
１９ａ…シリンダ、１９ｂ…カム、２０ａ…バネ、２０ｃ…バネ、２１…レバー、
２２…レバー、２３…開閉装置、２３ａ…扉側歯車、２３ｂ…モータ側歯車、
２３ｃ…電動モータ、２４…鍵スイッチ、２４…電子制御装置（電動モータ制御手段）、
２４ａ…鍵スイッチ、２４ｂ…扉スイッチ、２４ｃ…駆動回路、
２４ｄ…セレクトスイッチ（選択手段）。
【図１】
2006247271.tif 000003
【図２】
2006247271.tif 000004
【図３】
2006247271.tif 000005
【図４】
2006247271.tif 000006
【図５】
2006247271.tif 000007
【図６】
2006247271.tif 000008
【図７】
2006247271.tif 000009
【図８】
2006247271.tif 000010
【図９】
2006247271.tif 000011
【図１０】
2006247271.tif 000012
【図１１】
2006247271.tif 000013
【図１２】
2006247271.tif 000014